(57)【要約】【課題】本発明は建物の外壁面を照明できるようにして、きらびやかにできるとともに、外壁化粧パネルを取付けることにより照明することができるようにして、設置コストの低減を図ることができる建物の外壁照明装置および外壁化粧パネルを得るにある。【解決手段】内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＤＥを点灯可能に前記中空室で配線した配線回路とで建物の外壁照明装置を構成している。【選択図】  図１
2008098031.tif 000002
【特許請求の範囲】
【請求項１】
内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＤＥを点灯可能に前記中空室で配線した配線回路とからなることを特徴とする建物の外壁照明装置。
【請求項２】
内部に貫通する中空室あるいは内壁面に中空室となる凹部が形成された外壁化粧パネル本体を上下左右方向に並列するように建物に取付けられた外壁と、この外壁の外壁化粧パネル本体に複数個、表面より中空室に貫通するように形成された照明灯収納凹部と、この照明灯収納凹部内にそれぞれ防水可能に取付けられたＲＢＧ−ＬＥＤを用いた照明灯と、これらの照明灯のＲＢＧ−ＬＥＤを任意に点灯させる前記中空室で配線された制御装置を備える配線回路とからなることを特徴とする建物の外壁照明装置。
【請求項３】
照明灯は照明灯収納凹部の周壁面に接着固定されたステンレス材製の底面中央部に透孔が形成された反射筒と、この反射筒の底面を覆うように接着固定されたガラス板と、前記反射筒の底面に接着固定された底面ほぼ中央部にＬＥＤあるいはＲＢＧ−ＬＥＤが取付けられたＬＥＤ支持カバーと、このＬＥＤ支持カバーより外方へ突出する先端部にコンセントが取付けられた前記ＬＥＤあるいはＲＢＧ−ＬＥＤに接続されたコードとで構成されていることを特徴とする請求項1または請求項２記載の建物の外壁照明装置。
【請求項４】
内部に貫通する中空室が形成された外壁化粧パネル本体と、この外壁化粧パネル本体に少なくとも1個以上、表面より中空室に貫通するように形成された照明灯収納凹部と、この照明灯収納凹部内に防水可能に取付けられたＬＥＤあるいはＲＢＧ−ＬＥＤを用いた照明灯と、この照明灯のＬＥＤあるいはＲＢＧ−ＬＥＤに接続され、前記外壁化粧パネル本体の中空室の両端部より外方へ突出する部位にコンセントが取付けられたコードとからなることを特徴とする外壁化粧パネル。
【発明の詳細な説明】
【技術分野】
【０００１】
本発明は建物の外壁面を照明することができる建物の外壁照明装置および外壁化粧パネルに関する。
【背景技術】
【０００２】
従来、パチンコ店等の建物は正面を電飾で飾っているが、側面は外壁化粧パネルが取付けられているだけである。
【０００３】
このため、より効果的にパチンコ店等の存在を知らしめることができないとともに、建物全体をきらびやかにできないという欠点があった。
【特許文献１】特になし
【発明の開示】
【発明が解決しようとする課題】
【０００４】
本発明は以上のような従来の欠点に鑑み、建物の外壁面を照明できるようにして、きらびやかにできるとともに、外壁化粧パネルを取付けることにより照明することができるようにして、設置コストの低減を図ることができる建物の外壁照明装置および外壁化粧パネルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＤＥを点灯可能に前記中空室で配線した配線回路とで建物の外壁照明装置を構成している。
【０００７】
本発明は内部に貫通する中空室あるいは内壁面に中空室となる凹部が形成された外壁化粧パネル本体を上下左右方向に並列するように建物に取付けられた外壁と、この外壁の外壁化粧パネル本体に複数個、表面より中空室に貫通するように形成された照明灯収納凹部と、この照明灯収納凹部内にそれぞれ防水可能に取付けられたＲＢＧ−ＬＥＤを用いた照明灯と、これらの照明灯のＲＢＧ−ＬＥＤを任意に点灯させる前記中空室で配線された制御装置を備える配線回路とで建物の外壁照明装置を構成している。
【０００８】
本発明は内部に貫通する中空室が形成された外壁化粧パネル本体と、この外壁化粧パネル本体に少なくとも1個以上、表面より中空室に貫通するように形成された照明灯収納凹部と、この照明灯収納凹部内に防水可能に取付けられたＬＥＤあるいはＲＢＧ−ＬＥＤを用いた照明灯と、この照明灯のＬＥＤあるいはＲＢＧ−ＬＥＤに接続され、前記外壁化粧パネル本体の中空室の両端部より外方へ突出する部位にコンセントが取付けられたコードとで外壁化粧パネルを構成している。
【発明の効果】
【０００９】
以上の説明から明らかなように、本発明にあっては次に列挙する効果が得られる。
【００１０】
（１）内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＤＥを点灯可能に前記中空室で配線した配線回路とで構成されているので、外壁化粧パネルに照明灯が組み込まれている。
このため、外壁化粧パネルの取付けで照明灯の設置が比較的に容易で、低コストで設置することができる。
【００１１】
（２）前記（１）によって、中空室の貫通方向に照明灯を直列接続できる。
したがって、横方向あるいは縦方向に点灯させることができる。
【００１２】
（３）前記（１）によって、照明灯の配線を中空室を利用して行なうことができる。
したがって、コード等が外部に出て見苦しくなつたり、破損するのを効率よく防止することができる。
【００１３】
（４）前記（１）によって、照明灯収納凹部を形成するが、該照明灯収納凹部に照明灯を防水可能に取付けているので、外壁化粧パネルの防水性を損なうことなく、設置することができる。
【００１４】
（５）請求項２も前記（１）〜（４）と同様な効果が得られるとともに、制御装置で種々の点灯状態で点灯させることができる。
【００１５】
（６）請求項３も前記（１）〜（５）と同様な効果が得られる。
【発明を実施するための最良の形態】
【００１６】
以下、図面に示す本発明を実施するための最良の形態により、本発明を詳細に説明する。
【００１７】
図１ないし図７に示す本発明を実施するための最良の第１の形態において、１は建物２の外壁を照明することができる本発明の建物の外壁照明装置で、この建物の外壁照明装置１は内部に貫通する中空室３が形成された外壁化粧パネル本体４を上下左右方向に並列するように建物２の外部躯体に取付けられた外壁５と、この外壁５の外壁化粧パネル本体４に少なくとも１個以上、本発明を実施する形態では２列に３個並列させた６個、表面より中空室３に貫通するように形成された照明灯収納凹部６、６、６、６、６、６と、この照明灯収納凹部６、６、６、６、６、６内にそれぞれ防水可能に取付けられたＬＥＤあるいはＲＢＧ−ＬＥＤ７を用いた照明灯８と、これらの照明灯８のＲＢＧ−ＬＥＤ７を点灯可能に前記中空室３で配線した配線回路９とで構成されている。
【００１８】
前記外壁化粧パネル本体４は昭和電工建材株式会社の商品であるラムダを使用するが、上下部に係合片１０、シール剤１１が取付けられた、接続される係合片１０と係合する係合部１２が形成され、内部は複数個の貫通する中空室３が形成されたものである。
このような外壁化粧パネル本体４は、従来と同様に建物の外部躯体１３に胴縁１４を介して下部側より上部へ係合片１０と係合部１２を係合させるとともに、
止金具１５を用いて行なう。この場合、両端部には目地部１６を設け、該目地部１６にシール剤１７を充填してシールを図る。
なお、外壁化粧パネル本体４を取付けながら、照明灯８の配線も行なう。
【００１９】
前記外壁化粧パネル本体４に形成される照明灯収納凹部６、６、６、６、６、６はほぼ等間隔で配置されるように外壁化粧パネル本体４の上下部より、高さ寸法のほぼ４分の１の部位の中央部および両端部より幅寸法のほぼ６分の１部位の表面より中空室３まで位置する深さに形成されている。
【００２０】
前記照明灯８は図６および図７に示すように、前記照明灯収納凹部６の周縁面に接着剤１８で接着固定されたステンレス材製の底面中央部に透孔１９が形成された反射筒２０と、この反射筒２０の内底面を覆うように接着剤２１で接着固定されたガラス板２２と、前記反射筒２０の底面に接着剤２３で接着固定された底面ほぼ中央部にＬＥＤあるいはＲＢＧ−ＬＥＤ２４が取付けられた合成樹脂材製のＬＥＤ支持カバー２５と、このＬＥＤ支持カバー２５より外方へ突出する先端部に防水性のコンセント２６、２７が取付けられた、前記ＲＢＧ−ＬＥＤ２４に接続されたコード２８、２８とで構成されている。
【００２１】
前記配線回路９は外壁化粧パネル本体４の中空室３と貫通する部位の照明灯８、８、８を直列接続し、各配線をそれぞれ制御回路２９を介して商用電源に接続されて構成されている。
このため、制御回路２９でどの直列回路のＲＢＧ−ＬＥＤのいずれか、あるいはこれらの複数個の組み合わせで点灯させたり、多数個の直列回路のどれを点灯させたり、消灯させたりする制御で、直列回路ごとの流れたり、全点灯させたり、色が変わったり等の各種の照明を行なうことができる。
また、マニアル操作で好きな色に設定したり、セールやクリスマス等の点灯、点滅表現ができる。
【００２２】
上記構成の建物の外壁照明装置１は外壁化粧パネル本体４に照明灯８、８、８、８、８、８が取付けられた外壁化粧パネル３０を取付けながら、照明灯８の配線を行なっていけるので、わずかな手間で外壁を照明することができる。
[発明を実施するための異なる形態]
【００２３】
次に、図８ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図８ないし図１０に示す本発明を実施するための第２の形態において、前記本発明を実施するための最良の第１の形態と主に異なる点は、外壁パネル本体４を縦方向に位置させて、上下方向に並列させて建物２の外部躯体１３に取付けた点で、このように構成した建物の外壁照明装置１Ａにして横方向に時間をずらしての点灯ができるようにしても、前記本発明を実施するための最良の第１の形態と同様な作用効果が得られる。
【００２５】
図１１ないし図１４に示す本発明を実施するための第３の形態において、前記本発明を実施するための最良の第１の形態と主に異なる点は、内壁面４ａに貫通する中空室３Ａとなる凹部３１を形成した外壁化粧パネル本体４Ａを用いて構成した外壁化粧パネル３０Ａを用いた点で、このような外壁化粧パネル３０Ａを用いて構成した建物の外壁照明装置１Ｂにしても、前記本発明を実施するための最良の第１の形態と同様な作用効果が得られるとともに、照明灯８の配線作業が外壁化粧パネル本体４Ａの背面の凹部３１が開口しているため、さらに容易に行なうことができる。
【００２６】
図１５ないし図１８に示す本発明を実施するための第４の形態において、前記本発明を実施するための最良の第１の形態と主に異なる点は、反射筒２０の透孔１９の周縁部にＬＥＤ支持カバー２５を一体形成した照明灯８Ａを使用した外壁化粧パネル３０Ｂを用いた点で、このような外壁化粧パネル３０Ｂを用いて構成した建物の外壁照明装置１Ｃにしても、前記本発明を実施するための最良の第１の形態と同様な作用効果が得られる。
【００２７】
図１９ないし図２２に示す本発明を実施するための第５の形態において、前記本発明を実施するための最良の第１の形態と主に異なる点は、金属などの薄板で、角部ができないように丸みを持たせて反射筒２０Ａ、ＬＥＤ支持カバー２５Ａを一体形成した照明灯８Ｂと、この照明灯８Ｂと外壁化粧パネル本体４との間に両面テープ３２を使用し、ガラス板２２と前記反射筒２０Ａとの間、この反射筒２０Ａと前記外壁化粧パネル本体４との間にＯリング３３とシール剤３４を併用することで止水性を高めた外壁化粧パネル３０Ｃを用いた点で、このような外壁化粧パネル３０Ｃを用いて構成した建物の外壁照明装置１Ｄにしても、前記本発明を実施するための最良の第１の形態と同様な作用効果が得られる。
【００２８】
図２３ないし図２５に示す本発明を実施するための第６の形態において、前記本発明を実施するための最良の第１の形態と主に異なる点は、閉店後のセキュリテイを図れるように、建物の入口部位等に制御回路２９に接続された少なくとも１個以上のセンサー３５をもうけ、不審者が侵入あるいは侵入しょうとした場合に、センサー３５で検出し、制御回路２９で多数個の外壁化粧パネル３０の照明灯８、８、８、８、８、８の例えば赤色がフラッシュ的に点滅して警告を発せれる用にした点で、このように構成した建物の外壁照明装置１Ｅにしても、前記本発明を実施するための最良の第１の形態と同様な作用効果が得られるとともに、閉店後のセキュリテイを図ることができる。
【００２９】
なお、前記本発明を実施する各形態では６個の照明灯を外壁化粧パネル本体４、４Ａに取付けるものについて説明したが、本発明はこれに限らず、１個以上であってもよい。
【産業上の利用可能性】
【００３０】
本発明は外壁照明装置および外壁化粧パネルを製造する産業で利用される。
【図面の簡単な説明】
【００３１】
【図１】本発明を実施するための最良の第１の形態の使用状態の説明図。
【図２】本発明を実施するための最良の第１の形態の外壁化粧パネルの正面図、
【図３】本発明を実施するための最良の第１の形態の外壁化粧パネルの拡大側面図。
【図４】図２の４−４線に沿う拡大断面図。
【図５】本発明を実施するための最良の第１の形態の外壁化粧パネルの配線状態を示す説明図。
【図６】本発明を実施するための最良の第１の形態の照明灯の平面図。
【図７】図６の７−７線に沿う断面図。
【図８】本発明を実施するための第２の形態の使用状態の説明図。
【図９】本発明を実施するための第２の形態の要部拡大図。
【図１０】図９の１０−１０線に沿う拡大断面図。
【図１１】本発明を実施するための第３の形態の使用状態の説明図。
【図１２】本発明を実施するための第３の形態の外壁化粧パネルの正面図。
【図１３】本発明を実施するための第３の形態の外壁化粧パネルの拡大側面図。
【図１４】本発明を実施するための第３の形態の外壁化粧パネルの背面図。
【図１５】本発明を実施するための第４の形態の使用状態の説明図。
【図１６】本発明を実施するための第４の形態の外壁化粧パネルの正面図。
【図１７】本発明を実施するための第４の形態の照明灯の平面図。
【図１８】図１７の１８−１８線に沿う拡大断面図。
【図１９】本発明を実施するための第５の形態の使用状態の説明図。
【図２０】本発明を実施するための第５の形態の外壁化粧パネルの正面図。
【図２１】本発明を実施するための第５の形態の照明灯の平面図。
【図２２】図２１の２２−２２線に沿う拡大断面図。
【図２３】本発明を実施するための第６の形態の使用状態の説明図。
【図２４】本発明を実施するための第６の形態の回路説明図。
【図２５】本発明を実施するための第６の形態の点滅状態の説明図。
【符号の説明】
【００３２】
１、１Ａ、１Ｂ、１Ｃ、１Ｄ、１Ｅ：建物の外壁照明装置、
２：建物、                                                  ３、３Ａ：中空室、
４、４Ａ：外壁化粧パネル本体、          ５：外壁、        
６：照明灯収納凹部、                              ７：ＲＢＧ−ＬＥＤ、
８、８Ａ、８Ｂ：照明灯、                      ９：配線回路、
１０：係合片、                                                        １１：シール剤、
１２：係合部、                                                        １３：外部躯体、
１４：胴縁、                                              １５：止金具、
１６：目地部、                                                        １７：シール剤、
１８：接着剤、                                                        １９：透孔、
２０、２０Ａ：反射筒、                          ２１：接着剤、
２２：ガラス板、                                      ２３：接着剤、
２４：ＲＢＧ−ＬＥＤ、                          ２５、２５Ａ：ＬＥＤ支持カバー、
２６、２７：コンセント、                      ２８：コード、
２９：制御回路、                                      
３０、３０Ａ、３０Ｂ、３０Ｃ：外壁化粧パネル、
３１：凹部、                                              ３２：両面テープ、
３３：Ｏリング、                                      ３４：シール剤、
３５：センサー。
【図１】
2008098031.tif 000003
【図２】
2008098031.tif 000004
【図３】
2008098031.tif 000005
【図４】
2008098031.tif 000006
【図５】
2008098031.tif 000007
【図６】
2008098031.tif 000008
【図７】
2008098031.tif 000009
【図８】
2008098031.tif 000010
【図９】
2008098031.tif 000011
【図１０】
2008098031.tif 000012
【図１１】
2008098031.tif 000013
【図１２】
2008098031.tif 000014
【図１３】
2008098031.tif 000015
【図１４】
2008098031.tif 000016
【図１５】
2008098031.tif 000017
【図１６】
2008098031.tif 000018
【図１７】
2008098031.tif 000019
【図１８】
2008098031.tif 000020
【図１９】
2008098031.tif 000021
【図２０】
2008098031.tif 000022
【図２１】
2008098031.tif 000023
【図２２】
2008098031.tif 000024
【図２３】
2008098031.tif 000025
【図２４】
2008098031.tif 000026
【図２５】
2008098031.tif 000027
【手続補正書】
【提出日】平成18年10月19日(2006.10.19)
【手続補正１】
【補正対象書類名】特許請求の範囲
【補正対象項目名】全文
【補正方法】変更
【補正の内容】
【特許請求の範囲】
【請求項１】
内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＥＤを点灯可能に前記中空室で配線した配線回路とからなることを特徴とする建物の外壁照明装置。
【請求項２】
内部に貫通する中空室あるいは内壁面に中空室となる凹部が形成された外壁化粧パネル本体を上下左右方向に並列するように建物に取付けられた外壁と、この外壁の外壁化粧パネル本体に複数個、表面より中空室に貫通するように形成された照明灯収納凹部と、この照明灯収納凹部内にそれぞれ防水可能に取付けられたＲＢＧ−ＬＥＤを用いた照明灯と、これらの照明灯のＲＢＧ−ＬＥＤを任意に点灯させる前記中空室で配線された制御装置を備える配線回路とからなることを特徴とする建物の外壁照明装置。
【請求項３】
照明灯は照明灯収納凹部の周壁面に接着固定されたステンレス材製の底面中央部に透孔が形成された反射筒と、この反射筒の底面を覆うように接着固定されたガラス板と、前記反射筒の底面に接着固定された底面ほぼ中央部にＬＥＤあるいはＲＢＧ−ＬＥＤが取付けられたＬＥＤ支持カバーと、このＬＥＤ支持カバーより外方へ突出する先端部にコンセントが取付けられた前記ＬＥＤあるいはＲＢＧ−ＬＥＤに接続されたコードとで構成されていることを特徴とする請求項1または請求項２記載の建物の外壁照明装置。
【請求項４】
内部に貫通する中空室が形成された外壁化粧パネル本体と、この外壁化粧パネル本体に少なくとも1個以上、表面より中空室に貫通するように形成された照明灯収納凹部と、この照明灯収納凹部内に防水可能に取付けられたＬＥＤあるいはＲＢＧ−ＬＥＤを用いた照明灯と、この照明灯のＬＥＤあるいはＲＢＧ−ＬＥＤに接続され、前記外壁化粧パネル本体の中空室の両端部より外方へ突出する部位にコンセントが取付けられたコードとからなることを特徴とする外壁化粧パネル。
【手続補正２】
【補正対象書類名】明細書
【補正対象項目名】全文
【補正方法】変更
【補正の内容】
【発明の詳細な説明】
【技術分野】
【０００１】
本発明は建物の外壁面を照明することができる建物の外壁照明装置および外壁化粧パネルに関する。
【背景技術】
【０００２】
従来、パチンコ店等の建物は正面を電飾で飾っているが、側面は外壁化粧パネルが取付けられているだけである。
【０００３】
このため、より効果的にパチンコ店等の存在を知らしめることができないとともに、建物全体をきらびやかにできないという欠点があった。
【特許文献１】特になし
【発明の開示】
【発明が解決しようとする課題】
【０００４】
本発明は以上のような従来の欠点に鑑み、建物の外壁面を照明できるようにして、きらびやかにできるとともに、外壁化粧パネルを取付けることにより照明することができるようにして、設置コストの低減を図ることができる建物の外壁照明装置および外壁化粧パネルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＥＤを点灯可能に前記中空室で配線した配線回路とで建物の外壁照明装置を構成している。
【０００７】
本発明は内部に貫通する中空室あるいは内壁面に中空室となる凹部が形成された外壁化粧パネル本体を上下左右方向に並列するように建物に取付けられた外壁と、この外壁の外壁化粧パネル本体に複数個、表面より中空室に貫通するように形成された照明灯収納凹部と、この照明灯収納凹部内にそれぞれ防水可能に取付けられたＲＢＧ−ＬＥＤを用いた照明灯と、これらの照明灯のＲＢＧ−ＬＥＤを任意に点灯させる前記中空室で配線された制御装置を備える配線回路とで建物の外壁照明装置を構成している。
【０００８】
本発明は内部に貫通する中空室が形成された外壁化粧パネル本体と、この外壁化粧パネル本体に少なくとも1個以上、表面より中空室に貫通するように形成された照明灯収納凹部と、この照明灯収納凹部内に防水可能に取付けられたＬＥＤあるいはＲＢＧ−ＬＥＤを用いた照明灯と、この照明灯のＬＥＤあるいはＲＢＧ−ＬＥＤに接続され、前記外壁化粧パネル本体の中空室の両端部より外方へ突出する部位にコンセントが取付けられたコードとで外壁化粧パネルを構成している。
【発明の効果】
【０００９】
以上の説明から明らかなように、本発明にあっては次に列挙する効果が得られる。
【００１０】
（１）内部に貫通する中空室あるいは内壁面に中空室となる凹部が形成された外壁化粧パネル本体を上下左右方向に並列するように建物に取付けられた外壁と、この外壁の外壁化粧パネル本体に少なくとも1個以上、表面より中空室に貫通するように形成された照明灯収納凹部と、この照明灯収納凹部内にそれぞれ防水可能に取付けられたＬＥＤを用いた照明灯と、これらの照明灯のＬＥＤを点灯可能に前記中空室で配線した配線回路とで構成されているので、外壁化粧パネルに照明灯が組み込まれている。
このため、外壁化粧パネルの取付けで照明灯の設置が比較的に容易で、低コストで設置することができる。
【００１１】
（２）前記（１）によって、中空室の貫通方向に照明灯を直列接続できる。
したがって、横方向あるいは縦方向に点灯させることができる。
【００１２】
（３）前記（１）によって、照明灯の配線を中空室を利用して行なうことができる。
したがって、コード等が外部に出て見苦しくなつたり、破損するのを効率よく防止することができる。
【００１３】
（４）前記（１）によって、照明灯収納凹部を形成するが、該照明灯収納凹部に照明灯を防水可能に取付けているので、外壁化粧パネルの防水性を損なうことなく、設置することができる。
【００１４】
（５）請求項２も前記（１）〜（４）と同様な効果が得られるとともに、制御装置で種々の点灯状態で点灯させることができる。
【００１５】
（６）請求項３も前記（１）〜（５）と同様な効果が得られる。
【発明を実施するための最良の形態】
【００１６】
以下、図面に示す本発明を実施するための最良の形態により、本発明を詳細に説明する。
【００１７】
図１ないし図７に示す本発明を実施するための最良の第１の形態において、１は建物２の外壁を照明することができる本発明の建物の外壁照明装置で、この建物の外壁照明装置１は内部に貫通する中空室３が形成された外壁化粧パネル本体４を上下左右方向に並列するように建物２の外部躯体に取付けられた外壁５と、この外壁５の外壁化粧パネル本体４に少なくとも１個以上、本発明を実施する形態では２列に３個並列させた６個、表面より中空室３に貫通するように形成された照明灯収納凹部６、６、６、６、６、６と、この照明灯収納凹部６、６、６、６、６、６内にそれぞれ防水可能に取付けられたＬＥＤあるいはＲＢＧ−ＬＥＤ７を用いた照明灯８と、これらの照明灯８のＲＢＧ−ＬＥＤ７を点灯可能に前記中空室３で配線した配線回路９とで構成されている。
【００１８】
前記外壁化粧パネル本体４は昭和電工建材株式会社の商品であるラムダを使用するが、上下部に係合片１０、シール剤１１が取付けられた、接続される係合片１０と係合する係合部１２が形成され、内部は複数個の貫通する中空室３が形成されたものである。
このような外壁化粧パネル本体４は、従来と同様に建物の外部躯体１３に胴縁１４を介して下部側より上部へ係合片１０と係合部１２を係合させるとともに、
止金具１５を用いて行なう。この場合、両端部には目地部１６を設け、該目地部１６にシール剤１７を充填してシールを図る。
なお、外壁化粧パネル本体４を取付けながら、照明灯８の配線も行なう。
【００１９】
前記外壁化粧パネル本体４に形成される照明灯収納凹部６、６、６、６、６、６はほぼ等間隔で配置されるように外壁化粧パネル本体４の上下部より、高さ寸法のほぼ４分の１の部位の中央部および両端部より幅寸法のほぼ６分の１部位の表面より中空室３まで位置する深さに形成されている。
【００２０】
前記照明灯８は図６および図７に示すように、前記照明灯収納凹部６の周縁面に接着剤１８で接着固定されたステンレス材製の底面中央部に透孔１９が形成された反射筒２０と、この反射筒２０の内底面を覆うように接着剤２１で接着固定されたガラス板２２と、前記反射筒２０の底面に接着剤２３で接着固定された底面ほぼ中央部にＬＥＤあるいはＲＢＧ−ＬＥＤ２４が取付けられた合成樹脂材製のＬＥＤ支持カバー２５と、このＬＥＤ支持カバー２５より外方へ突出する先端部に防水性のコンセント２６、２７が取付けられた、前記ＲＢＧ−ＬＥＤ２４に接続されたコード２８、２８とで構成されている。
【００２１】
前記配線回路９は外壁化粧パネル本体４の中空室３と貫通する部位の照明灯８、８、８を直列接続し、各配線をそれぞれ制御回路２９を介して商用電源に接続されて構成されている。
このため、制御回路２９でどの直列回路のＲＢＧ−ＬＥＤのいずれか、あるいはこれらの複数個の組み合わせで点灯させたり、多数個の直列回路のどれを点灯させたり、消灯させたりする制御で、直列回路ごとの流れたり、全点灯させたり、色が変わったり等の各種の照明を行なうことができる。
また、マニアル操作で好きな色に設定したり、セールやクリスマス等の点灯、点滅表現ができる。
【００２２】
上記構成の建物の外壁照明装置１は外壁化粧パネル本体４に照明灯８、８、８、８、８、８が取付けられた外壁化粧パネル３０を取付けながら、照明灯８の配線を行なっていけるので、わずかな手間で外壁を照明することができる。
[発明を実施するための異なる形態]
【００２３】
次に、図８ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２４】
図８ないし図１０に示す本発明を実施するための第２の形態において、前記本発明を実施するための最良の第１の形態と主に異なる点は、外壁パネル本体４を縦方向に位置させて、上下方向に並列させて建物２の外部躯体１３に取付けた点で、このように構成した建物の外壁照明装置１Ａにして横方向に時間をずらしての点灯ができるようにしても、前記本発明を実施するための最良の第１の形態と同様な作用効果が得られる。
【００２５】
図１１ないし図１４に示す本発明を実施するための第３の形態において、前記本発明を実施するための最良の第１の形態と主に異なる点は、内壁面４ａに貫通する中空室３Ａとなる凹部３１を形成した外壁化粧パネル本体４Ａを用いて構成した外壁化粧パネル３０Ａを用いた点で、このような外壁化粧パネル３０Ａを用いて構成した建物の外壁照明装置１Ｂにしても、前記本発明を実施するための最良の第１の形態と同様な作用効果が得られるとともに、照明灯８の配線作業が外壁化粧パネル本体４Ａの背面の凹部３１が開口しているため、さらに容易に行なうことができる。
【００２６】
図１５ないし図１８に示す本発明を実施するための第４の形態において、前記本発明を実施するための最良の第１の形態と主に異なる点は、反射筒２０の透孔１９の周縁部にＬＥＤ支持カバー２５を一体形成した照明灯８Ａを使用した外壁化粧パネル３０Ｂを用いた点で、このような外壁化粧パネル３０Ｂを用いて構成した建物の外壁照明装置１Ｃにしても、前記本発明を実施するための最良の第１の形態と同様な作用効果が得られる。
【００２７】
図１９ないし図２２に示す本発明を実施するための第５の形態において、前記本発明を実施するための最良の第１の形態と主に異なる点は、金属などの薄板で、角部ができないように丸みを持たせて反射筒２０Ａ、ＬＥＤ支持カバー２５Ａを一体形成した照明灯８Ｂと、この照明灯８Ｂと外壁化粧パネル本体４との間に両面テープ３２を使用し、ガラス板２２と前記反射筒２０Ａとの間、この反射筒２０Ａと前記外壁化粧パネル本体４との間にＯリング３３とシール剤３４を併用することで止水性を高めた外壁化粧パネル３０Ｃを用いた点で、このような外壁化粧パネル３０Ｃを用いて構成した建物の外壁照明装置１Ｄにしても、前記本発明を実施するための最良の第１の形態と同様な作用効果が得られる。
【００２８】
図２３ないし図２５に示す本発明を実施するための第６の形態において、前記本発明を実施するための最良の第１の形態と主に異なる点は、閉店後のセキュリテイを図れるように、建物の入口部位等に制御回路２９に接続された少なくとも１個以上のセンサー３５をもうけ、不審者が侵入あるいは侵入しょうとした場合に、センサー３５で検出し、制御回路２９で多数個の外壁化粧パネル３０の照明灯８、８、８、８、８、８の例えば赤色がフラッシュ的に点滅して警告を発せれる用にした点で、このように構成した建物の外壁照明装置１Ｅにしても、前記本発明を実施するための最良の第１の形態と同様な作用効果が得られるとともに、閉店後のセキュリテイを図ることができる。
【００２９】
なお、前記本発明を実施する各形態では６個の照明灯を外壁化粧パネル本体４、４Ａに取付けるものについて説明したが、本発明はこれに限らず、１個以上であってもよい。
【産業上の利用可能性】
【００３０】
本発明は外壁照明装置および外壁化粧パネルを製造する産業で利用される。
【図面の簡単な説明】
【００３１】
【図１】本発明を実施するための最良の第１の形態の使用状態の説明図。
【図２】本発明を実施するための最良の第１の形態の外壁化粧パネルの正面図、
【図３】本発明を実施するための最良の第１の形態の外壁化粧パネルの拡大側面図。
【図４】図２の４−４線に沿う拡大断面図。
【図５】本発明を実施するための最良の第１の形態の外壁化粧パネルの配線状態を示す説明図。
【図６】本発明を実施するための最良の第１の形態の照明灯の平面図。
【図７】図６の７−７線に沿う断面図。
【図８】本発明を実施するための第２の形態の使用状態の説明図。
【図９】本発明を実施するための第２の形態の要部拡大図。
【図１０】図９の１０−１０線に沿う拡大断面図。
【図１１】本発明を実施するための第３の形態の使用状態の説明図。
【図１２】本発明を実施するための第３の形態の外壁化粧パネルの正面図。
【図１３】本発明を実施するための第３の形態の外壁化粧パネルの拡大側面図。
【図１４】本発明を実施するための第３の形態の外壁化粧パネルの背面図。
【図１５】本発明を実施するための第４の形態の使用状態の説明図。
【図１６】本発明を実施するための第４の形態の外壁化粧パネルの正面図。
【図１７】本発明を実施するための第４の形態の照明灯の平面図。
【図１８】図１７の１８−１８線に沿う拡大断面図。
【図１９】本発明を実施するための第５の形態の使用状態の説明図。
【図２０】本発明を実施するための第５の形態の外壁化粧パネルの正面図。
【図２１】本発明を実施するための第５の形態の照明灯の平面図。
【図２２】図２１の２２−２２線に沿う拡大断面図。
【図２３】本発明を実施するための第６の形態の使用状態の説明図。
【図２４】本発明を実施するための第６の形態の回路説明図。
【図２５】本発明を実施するための第６の形態の点滅状態の説明図。
【符号の説明】
【００３２】
１、１Ａ、１Ｂ、１Ｃ、１Ｄ、１Ｅ：建物の外壁照明装置、
２：建物、                                              ３、３Ａ：中空室、
４、４Ａ：外壁化粧パネル本体、              ５：外壁、  
６：照明灯収納凹部、                                          ７：ＲＢＧ−ＬＥＤ、
８、８Ａ、８Ｂ：照明灯、                            ９：配線回路、
１０：係合片、                                                        １１：シール剤、
１２：係合部、                                                        １３：外部躯体、
１４：胴縁、                                                        １５：止金具、
１６：目地部、                                                        １７：シール剤、
１８：接着剤、                                                        １９：透孔、
２０、２０Ａ：反射筒、                            ２１：接着剤、
２２：ガラス板、                                  ２３：接着剤、
２４：ＲＢＧ−ＬＥＤ、                          ２５、２５Ａ：ＬＥＤ支持カバー、
２６、２７：コンセント、                            ２８：コード、
２９：制御回路、                                  
３０、３０Ａ、３０Ｂ、３０Ｃ：外壁化粧パネル、
３１：凹部、                                                        ３２：両面テープ、
３３：Ｏリング、                                  ３４：シール剤、
３５：センサー。